(57)【特許請求の範囲】
【請求項１】
患者が有し、その患者を識別するための患者識別情報が格納された患者識別用記憶媒体から、前記患者識別情報を読み取る第１読取手段と、
医療従事者が有し、その医療従事者を識別するための医療従事者識別情報が格納された医療従事者識別用記憶媒体から、前記医療従事者識別情報を読み取る第２読取手段と、
薬剤に付され、その薬剤の薬剤情報が格納された薬物識別用記憶媒体から、前記薬剤情報と、その薬剤の投与対象である患者の前記患者識別情報と、その薬剤の投与を担当する医療従事者の前記医療従事者識別情報と、を読み取る第３読取手段と、
前記第１読取手段が読み取った前記患者識別情報と前記第３読取手段が読み取った前記患者識別情報とが一致し、且つ、前記第２読取手段が読み取った前記医療従事者識別情報と前記第３読取手段が読み取った前記医療従事者識別情報とが一致した場合には、前記薬剤とその薬剤の投薬対象である患者と投薬担当の医療従事者との組合わせが適正である旨を報知する報知手段と、
を備える医療支援装置。
【請求項２】
前記報知手段は、前記第１読取手段が読み取った前記患者識別情報と前記第３読取手段が読み取った前記患者識別情報との一致、または、前記第２読取手段が読み取った前記医療従事者識別情報と前記第３読取手段が読み取った前記医療従事者識別情報との一致のうち少なくとも一方の一致が成立しない場合にはエラー報知をする、請求項１に記載の医療支援装置。
【請求項３】
前記報知手段は音声出力により前記報知を行う、請求項１または２に記載の医療支援装置。
【請求項４】
医療支援装置を制御するコンピュータを、
患者が有し、その患者を識別するための患者識別情報が格納された患者識別用記憶媒体から、前記患者識別情報を読み取る第１読取手段と、
医療従事者が有し、その医療従事者を識別するための医療従事者識別情報が格納された医療従事者識別用記憶媒体から、前記医療従事者識別情報を読み取る第２読取手段と、
薬剤に付され、その薬剤の薬剤情報が格納された薬物識別用記憶媒体から、前記薬剤情報と、その薬剤の投与対象である患者の前記患者識別情報と、その薬剤の投与を担当する医療従事者の前記医療従事者識別情報と、を読み取る第３読取手段と、
前記第１読取手段が読み取った前記患者識別情報と前記第３読取手段が読み取った前記患者識別情報とが一致し、且つ、前記第２読取手段が読み取った前記医療従事者識別情報と前記第３読取手段が読み取った前記医療従事者識別情報とが一致した場合には、前記薬剤とその薬剤の投薬対象である患者と投薬担当の医療従事者との組合わせが適正である旨を報知する報知手段と、
として機能させるためのプログラム。
【請求項５】
前記報知手段は、前記第１読取手段が読み取った前記患者識別情報と前記第３読取手段が読み取った前記患者識別情報との一致、または、前記第２読取手段が読み取った前記医療従事者識別情報と前記第３読取手段が読み取った前記医療従事者識別情報との一致のうち少なくとも一方の一致が成立しない場合にはエラー報知をする、請求項４に記載のプログラム。
【請求項６】
前記報知手段は音声出力により前記報知を行う、請求項４または５に記載のプログラム。
【発明の詳細な説明】
【技術分野】
【０００１】
本発明の実施形態は、医療支援装置およびプログラムに関する。
【背景技術】
【０００２】
従来、病院で患者に点滴や経口薬等の薬剤を投与する際には、投与する薬剤と、投与する看護師と、投与される患者との３点を確認する３点確認方式が一般的に行われている。
【０００３】
また、近年では薬剤投与行為を効率化するため、二次元コード等のコードシンボルやＲＦＩＤ（Radio  Frequency  Identification）タグに、３点確認に必要な情報を格納しておき、コードリーダやＲＦＩＤリーダでそれら情報を読み取ってサーバに問い合わせることにより３点確認を行う技術が開示されている。
【発明の概要】
【発明が解決しようとする課題】
【０００４】
しかしながら、従来技術においては、３点確認などの薬剤投与時の適否確認を行う場合に、サーバとのネットワーク通信の状態が良好である必要があり、病院内で電波利用が制限されている場所、或いは電波状態が劣る場所において、薬剤投与時の適否確認を行えないという課題があった。
【課題を解決するための手段】
【０００５】
実施形態の医療支援装置は、第１読取手段と、第２読取手段と、第３読取手段と、報知手段とを備える。第１読取手段は、患者が有し、その患者を識別するための患者識別情報が格納された患者識別用記憶媒体から、前記患者識別情報を読み取る。第２読取手段は、医療従事者が有し、その医療従事者を識別するための医療従事者識別情報が格納された医療従事者識別用記憶媒体から、前記医療従事者識別情報を読み取る。第３読取手段は、薬剤に付され、その薬剤の薬剤情報が格納された薬物識別用記憶媒体から、前記薬剤情報と、その薬剤の投与対象である患者の前記患者識別情報と、その薬剤の投与を担当する医療従事者の前記医療従事者識別情報と、を読み取る。報知手段は、前記第１読取手段が読み取った前記患者識別情報と前記第３読取手段が読み取った前記患者識別情報とが一致し、且つ、前記第２読取手段が読み取った前記医療従事者識別情報と前記第３読取手段が読み取った前記医療従事者識別情報とが一致した場合には、前記薬剤とその薬剤の投薬対象である患者と投薬担当の医療従事者との組合わせが適正である旨を報知する。
【図面の簡単な説明】
【０００６】
【図１】図１は、本実施形態にかかる医療支援システムの全体構成を概略的に示す図である。
【図２】図２は、ラベルプリンタのハードウェア構成を示すブロック図である。
【図３】図３は、ハンディターミナルの概略的構成を示す正面図である。
【図４】図４は、ハンディターミナルのハードウェア構成を示すブロック図である。
【図５】図５は、投薬認証が成立した場合の表示画面例を示す図である。
【図６】図６は、投薬認証が不成立である場合のエラー表示例を示す図である。
【図７】図７は、ハンディターミナルが実行する投薬認証処理の手順を説明するフローチャートである。
【発明を実施するための形態】
【０００７】
図１は、本実施形態にかかる医療支援システム１の全体構成を概略的に示す図である。図１に示すように、医療支援システム１は、看護支援サーバ２と、電子カルテサーバ３と、ラベルプリンタ４と、本実施形態の医療支援装置であるハンディターミナル１０とで主に構成される。看護支援サーバ２と、電子カルテサーバ３と、ラベルプリンタ４とは病院内に設けられた有線ＬＡＮ（Local  Area  Network）または無線ＬＡＮ等の通信ネットワークを介して通信可能である。また、ハンディターミナル１０は、無線ＬＡＮ等の無線通信により看護支援サーバ２および電子カルテサーバ３に接続可能である。尚、図１では各装置を夫々１つずつ図示しているが、各装置の数は複数でもよい。
【０００８】
看護支援サーバ２および電子カルテサーバ３は、夫々ＣＰＵ（Central  Processing  Unit）などの制御装置と、ＲＯＭ（Read  Only  Memory）やＲＡＭ（Random  Access  Memory）などの記憶装置と、ＨＤＤ（Hard  Disk  Drive）、ＣＤドライブ装置などの外部記憶装置と、ディスプレイ装置などの表示装置と、キーボードやマウスなどの入力装置と、通信Ｉ／Ｆ（Interface）等を主に備えており、通常のコンピュータを利用したハードウェア構成を有している。
【０００９】
看護支援サーバ２は、看護師の医療行為等の計画を格納した看護計画ＤＢ（Database）２１を備えている。看護計画ＤＢ２１には、看護師ごとの看護計画が、看護師をユニークに識別する看護師識別情報（例えば、看護師ＩＤ）に対応付けられて格納されている。尚、看護計画とは、看護師が患者に対して行う看護行為を日時に対応付けて記したスケジュールのことであり、看護師ごとの業務スケジュールのことである。
【００１０】
電子カルテサーバ３は、患者ごとの電子カルテが、患者をユニークに識別する患者識別情報（例えば、患者ＩＤ）に対応付けられて格納される。電子カルテには、患者の氏名や患者の血液型、アレルギー疾患に関する情報、受診科、担当医の氏名等、患者に関する情報である患者情報がその患者の患者ＩＤに対応付けて格納されている。また、電子カルテには、医師がその患者ＩＤの患者に処方した薬剤の薬剤名や投薬量、投薬日時等の薬剤情報が格納されている。
【００１１】
ラベルプリンタ４は、薬剤に貼付されるラベル等を印刷するプリンタである。図２は、ラベルプリンタ４のハードウェア構成を示すブロック図である。図２に示すように、ラベルプリンタ４は、ＣＰＵ４１等の制御装置と、ＲＯＭ４２やＲＡＭ４３等の記憶装置と、ディスプレイ装置等の表示部４４と、タッチパネルやキーボード等の入力部４５と、サーマルプリンタ等のプリンタ４６と、通信Ｉ／Ｆ４７等を主に備えており、通常のラベルプリンタと同様のハードウェア構成を有している。
【００１２】
ラベルプリンタ４のＣＰＵ４１は、ＲＯＭ４２に格納されたプログラム（薬剤払出アプリケーション）をＲＡＭ４３に展開して実行することにより、図２に示すように、薬剤情報取得部４１１と、患者情報取得部４１２と、看護師情報取得部４１３と、印刷制御部４１４として機能する。
【００１３】
薬剤情報取得部４１１は、入力部４５から入力された患者ＩＤを用いて、その患者に投与する薬剤の薬剤情報を電子カルテサーバ３に問合せ、電子カルテサーバ３の電子カルテＤＢ３１から患者ＩＤの患者に処方されている薬剤の薬剤情報を取得する。尚、薬剤情報取得部４１１は、現在の日時情報または患者に薬剤投与する予定の日時情報をさらに用いて、投薬日時が現在日時または上記予定の日時に近い薬剤の薬剤情報を取得してもよい。
【００１４】
患者情報取得部４１２は、入力部４５から入力された患者ＩＤを用いてその患者ＩＤに対応する患者の氏名等の患者情報を電子カルテサーバ３に問い合わせ、電子カルテサーバ３の電子カルテＤＢ３１から患者ＩＤに対応する患者情報を取得する。
【００１５】
看護師情報取得部４１３は、患者ＩＤと薬剤投与する予定の日時情報を用いて、その患者に対する看護計画を看護支援サーバ２に問合せ、看護支援サーバ２の看護計画ＤＢ２１から、その薬剤を投与する予定日時においてその患者の担当となっている看護師の看護師ＩＤを取得する。
【００１６】
印刷制御部４１４は、電子カルテに基づいて処方される薬剤を識別するためのラベル等を印刷する。即ち、印刷制御部４１４は、入力部４５から入力された薬剤の投与対象である患者の患者ＩＤと、薬剤情報取得部４１１が取得した薬剤情報と、看護師情報取得部４１３が取得した看護師ＩＤとを少なくとも含めて、電子カルテに基づいて処方される薬剤を識別するための薬剤識別用コードを生成し、この薬剤識別用コードをエンコードして二次元コード等のコードシンボルを生成する。
【００１７】
尚、薬剤識別用コードに含められる情報は上述したものに限定されず、その他の情報を含めてもよい。例えば、印刷制御部４１４は、患者情報取得部４１２により取得された患者ＩＤ以外の患者情報等を薬剤識別用コードに含めてもよい。
【００１８】
そして、印刷制御部４１４は、ラベル等の印字媒体に、薬剤名や投与分量、投与日時、患者名、担当看護師名等を印刷するとともに、生成されたコードシンボルを印刷する。印刷後のラベル５１（図１参照）は、薬剤の包装等に貼付され、この薬剤が患者に投与される現場において３点確認処理に用いられる。尚、印字媒体に印刷される項目は上述した項目に限定されるものではなく、印刷制御部４１４は、例えば患者情報取得部４１２により取得された患者情報をさらに印刷するとしてもよい。
【００１９】
ハンディターミナル１０は、看護師等の医療従事者により携帯される携帯型の情報通信端末である。図３は、ハンディターミナル１０の概略的構成を示す正面図である。図３に示すように、ハンディターミナル１０は、左ユニット１０２と右ユニット１０３とを有する。左ユニット１０２と右ユニット１０３とは、ヒンジ１０４によって回動開閉可能に連結されている。
【００２０】
左ユニット１０２の筐体１０２ａには、液晶表示器等の表示器１２１が設けられている。表示器１２１の表面にはタッチパネル１２２が積層して取り付けられている。タッチパネル１２２の下段側（図３中下側）の部分には、このタッチパネル１２２に重ねられてキーシート１２３が設けられている。キーシート１２３は、数字を表示するテンキー１２３ａ、上下の矢印を表示する矢印キー１２３ｂ、および「送信」と表示された送信キー１２３ｄ等を含む。表示器１２１の上段側（図３中上側）の部分には、音声入力を受け付けるマイク１４１が設けられている。
【００２１】
右ユニット１０３の筐体１０３ａには、複数個のキーを有するキーボード１３１が設けられている。キーとしては、「体温」、「血圧」、「脈拍」、「閲覧」、「記録」等の操作メニューを表示する文字が印刷された複数個のメニューキー１３２が設けられている。また、メニューキー１３２には、投薬モード画面７０を表示させて投薬処理を行うための投薬キー１３２ａ、各種入力の確定等を行うためのエンターキー１３２ｅ等が設けられている。
【００２２】
図４は、ハンディターミナル１０のハードウェア構成を示すブロック図である。図４に示すように、ハンディターミナル１０は、情報処理を実行するマイクロコンピュータとして、ＣＰＵ１１、ＲＯＭ１２及びＲＡＭ１３を備えている。また、ＣＰＵ１１には、各種インタフェースやバスを介して、表示部１４、入力部１５、記憶部１６、通信Ｉ／Ｆ１７、スピーカ１９が接続されている。
【００２３】
また、ＣＰＵ１１には、バーコードや二次元コード等のコードシンボルに記録されたデータを読み取るスキャナ１８が接続インタフェースを介して接続される。尚、スキャナ１８の代わりに、ＲＦＩＤリーダを接続し、ＩＣタグに記録されたデータを読み取る形態としてもよい。
【００２４】
ＣＰＵ１１は、ＲＯＭ１２や記憶部１６に記憶された各種プログラムを実行することにより、ハンディターミナル１０を統括的に制御する。ＲＯＭ１２は、基本動作を行うためのプログラムを記憶している。ＲＡＭ１３は、ハンディターミナル１０の主記憶装置であって、ＣＰＵ１１のワークエリアとして機能する。
【００２５】
表示部１４は、表示器１２１や図示しないＬＥＤ（light  Emitting  Diode）等の表示デバイスである。ＣＰＵ１１は、表示器１２１の表示制御を行い、ＬＥＤの点灯、点滅等の制御を行う。入力部１５は、タッチパネル１２２、キーボード１３１、マイク１４１等の入力デバイスである。
【００２６】
記憶部１６は、ＨＤＤ（Hard  Disk  Drive）やフラッシュメモリ等の記憶媒体であり、Ｗｅｂブラウザ等の各種プログラムやファイルを記憶している。通信Ｉ／Ｆ１７は、ネットワークを介して接続される看護支援サーバ２、電子カルテサーバ３等との間のデータ通信を行うためのインタフェースである。ＣＰＵ１１は、この通信Ｉ／Ｆ１７を制御し、上記サーバ装置との間で、所定の通信プロトコルに従って種々のデータを送受信する。
【００２７】
また、ハンディターミナル１０は、図示しないＲＴＣ（Real  Time  Clock）等の計時装置を具備し、ＣＰＵ１１は、この計時装置が計時する時刻情報に基づいて、現在日時（年月日及び時刻）を取得する。
【００２８】
次に、ハンディターミナル１０の機能構成について説明する。図４に示すように、ハンディターミナル１０のＣＰＵ１１は、ＲＯＭ１２や記憶部１６に記憶されたプログラムをＲＡＭ１３に展開して実行することにより、第１読取部１１１と、第２読取部１１２と、第３読取部１１３と、表示制御部１１４と、投薬認証部１１５と、報知部１１６として機能する。
【００２９】
第１読取部１１１、第２読取部１１２、第３読取部１１３、は、スキャナ１８によるコード読取処理を制御する。
【００３０】
第１読取部１１１は、患者が有し、その患者をユニークに識別するための患者識別情報（例えば、患者ＩＤ）が格納された患者識別用記憶媒体から、患者識別情報を読み取る。
【００３１】
患者識別用記憶媒体としては、例えば図１に示すように患者のリストバンド５２のコードシンボル６２を用いることができる。コードシンボル６２には、そのコードシンボル６２が印刷されたリストバンド５２を所有する患者をユニークに識別するためのコード情報として、患者識別用コードが格納されている。患者識別用コードには、患者ＩＤ、患者氏名、血液型、性別等の患者情報が含まれている。第１読取部１１１は、スキャナ１８で読み取られた患者識別用コードから各患者情報を読み取る。
【００３２】
第２読取部１１２は、医療従事者（例えば、看護師）が有し、その医療従事者をユニークに識別するための医療従事者識別情報（例えば、看護師ＩＤ）が格納された医療従事者識別用記憶媒体から、医療従事者識別情報を読み取る。尚、本実施形態では医療従事者として看護師を例に挙げて説明するが、医療従事者は医師など投薬権限のある者であれば特に限定されるものではない。
【００３３】
医療従事者識別用記憶媒体としては、例えば図１に示すように、看護師が勤務中に携帯するＩＤカード５３に印刷されているコードシンボル６３を用いることができる。コードシンボル６３には、そのコードシンボル６３が印刷されたＩＤカード５３を所有する看護師をユニークに識別するためのコード情報として、看護師識別用コードが格納されている。看護師識別用コードには、看護師ＩＤ、看護師氏名等の看護師情報が含まれている。第２読取部１１２は、スキャナ１８で読み取られた看護師識別用コードから各看護師情報を読み取る。
【００３４】
第３読取部１１３は、薬剤に付され、その薬剤の薬剤情報が格納された薬剤識別用記憶媒体から、薬剤情報と、その薬剤の投与対象である患者の患者識別情報（例えば、患者ＩＤ）と、その薬剤の投与を担当する医療従事者の医療従事者識別情報（例えば、看護師ＩＤ）とを読み取る。
【００３５】
薬剤識別用記憶媒体としては、例えば図１に示すように、薬剤のラベル５１に印刷されているコードシンボル６１を用いることができる。コードシンボル６１には、上述したように、その薬剤の薬剤情報と、その薬剤の投与対象である患者の患者情報（例えば、患者ＩＤ）と、その薬剤の投与を担当する看護師の看護師情報（例えば、看護師ＩＤ）とを少なくとも含む薬剤識別用コードが格納されている。第３読取部１１３は、スキャナ１８で読み取られた薬剤識別用コードから上記各情報を読み取る。
【００３６】
表示制御部１１４は、入力部１５からの入力受付や、スキャナ１８による情報読取処理に応じて表示器１２１への表示出力を制御する。一例として表示制御部１１４は、メニューキー１３２の投薬キー１３２ａが選択された場合に、図３に示すように投薬モードの表示画面（投薬モード画面７０）を表示器１２１に表示する。
【００３７】
また、表示制御部１１４は、第１読取部１１１が患者のリストバンド５２のコードシンボル６２から患者情報を読み取った場合に、患者ＩＤ、患者氏名等の患者情報を投薬モード画面７０に表示する。また、表示制御部１１４は、第２読取部１１２が看護師のＩＤカード５３のコードシンボル６３から看護師情報を読み取った場合に、看護師ＩＤや看護師の氏名等の看護師情報を投薬モード画面７０に表示する。さらに、表示制御部１１４は、第３読取部１１３が薬剤のラベル５１のコードシンボル６１から薬剤情報を読み取った場合に、読み取った薬剤情報として、例えば薬剤名、投薬量、投薬日時等を投薬モード画面７０に表示する。
【００３８】
投薬認証部１１５は、第１読取部１１１、第２読取部１１２、第３読取部１１３が読み取った情報に基づいて、投薬対象の患者と薬剤との組合わせが電子カルテＤＢ３１に登録されている適正な組合わせであるか、また、投薬を担当する看護師が看護計画ＤＢ２１に登録されている適正な担当看護師であるかを判定する。このように、患者と、医療行為を行う担当看護師と、患者に投薬される薬剤の３点が適正である旨を判定（認証）することを、以下では投薬認証（所謂、３点確認）と称する。
【００３９】
より詳細には、投薬認証部１１５は、第１読取部１１１が読み取った患者ＩＤと第３読取部１１３が読み取った患者ＩＤとが一致し、且つ、第２読取部１１２が読み取った看護師ＩＤと第３読取部１１３が読み取った看護師ＩＤとが一致する場合に、投薬認証が成立したと判定する。また、投薬認証部１１５は、患者ＩＤまたは看護師ＩＤの少なくとも一方が一致しない場合には、投薬認証が不成立であると判定する。
【００４０】
報知部１１６は、投薬認証部１１５の判定結果に応じて、投薬認証の成立または不成立を、表示部１４への表示出力や、スピーカ１９による音声出力等によって報知する。
【００４１】
即ち、報知部１１６は、上述のように投薬認証が成立した場合に、投薬認証が成立した旨、或いは、薬剤と患者と看護師との組合わせが適正である旨を報知する。一例として報知部１１６は、スピーカ１９に「ピピッ」という確認音を出力させるとともに、図５に示すように「投薬認証ＯＫ」等のメッセージ７１を表示器１２１に表示させる。これにより、看護師または患者は投薬作業が適正に行われていることを容易に確認することができ、投薬作業の確実性を向上させることができる。
【００４２】
また、報知部１１６は、投薬認証が成立しなかった場合に、投薬認証が不成立である旨、或いは、薬剤と患者と看護師との組合わせが不適正である旨を報知する。一例として報知部１１６は、スピーカ１９に「ピピピピピピ…」等の警告音を出力させるとともに、図６に示すように「投薬認証エラー」等のエラーメッセージ７２を表示器１２１に表示させる。これにより看護師または患者が投薬作業のミスに気付くことができ、投薬作業の確実性を向上させることができる。
【００４３】
尚、報知部１１６が行う表示出力や音声出力は上述した例に限定されるものではなく、その他の音声出力や表示や報知方法によって投薬認証の正否を報知してもよい。
【００４４】
次に、ハンディターミナル１０の動作例について説明する。図７は、ハンディターミナル１０が実行する投薬認証処理の手順を説明するフローチャートである。
【００４５】
まず、表示制御部１１４は、投薬キー１３２ａ（図３参照）が選択されたか否かを判定する（ステップＳ１）。投薬キー１３２ａが選択されない場合（ステップＳ１：Ｎｏ）はステップＳ１に戻り、入力待ちをする。投薬キー１３２ａが選択された場合（ステップＳ１：Ｙｅｓ）には、表示制御部１１４は、投薬モード画面７０（図３参照）を表示器１２１に表示する（ステップＳ２）。
【００４６】
次に、第１読取部１１１は、スキャナ１８によって患者識別用コードが読み取られたか否かを判定する（ステップＳ３）。患者識別用コードが読み取られない場合（ステップＳ３：Ｎｏ）にはステップＳ５に移行する。患者識別用コードが読み取られた場合（ステップＳ３：Ｙｅｓ）には、表示制御部１１４は図３に示すように、患者識別用コードから読み取られた患者情報として患者ＩＤや患者氏名を投薬モード画面７０に表示する（ステップＳ４）。
【００４７】
次に、第２読取部１１２は、スキャナ１８によって看護師識別用コードが読み取られたか否かを判定する（ステップＳ５）。看護師識別用コードが読み取られない場合（ステップＳ５：Ｎｏ）にはステップＳ７に移行する。看護師識別用コードが読み取られた場合（ステップＳ５：Ｙｅｓ）には、表示制御部１１４は図３に示すように、看護師識別用コードから読み取られた看護師情報として看護師ＩＤや看護師氏名等を投薬モード画面７０に表示する（ステップＳ６）。
【００４８】
次に、第３読取部１１３は、スキャナ１８によって薬剤識別用コードが読み取られたか否かを判定する（ステップＳ７）。薬剤識別用コードが読み取られない場合（ステップＳ９：Ｎｏ）にはステップＳ３に移行する。薬剤識別用コードが読み取られた場合（ステップＳ７：Ｙｅｓ）には、表示制御部１１４は図３に示すように、薬剤識別用コードから読み取られた薬剤情報として、薬剤名や投薬量、投薬日時等の情報を投薬モード画面７０に表示する（ステップＳ８）。
【００４９】
そして、投薬認証部１１５は、ステップＳ３で患者識別用コードから読み取られた患者ＩＤと、ステップＳ７で薬剤識別用コードから読み取られた患者ＩＤとが一致するか否かを判定する。また、投薬認証部１１５は、ステップＳ５で看護師識別用コードから読み取られた看護師ＩＤと、ステップＳ７で薬剤識別用コードから読み取られた看護師ＩＤとが一致するか否かを判定する（ステップＳ９）。
【００５０】
患者ＩＤおよび看護師ＩＤが夫々一致する場合（ステップＳ９：Ｙｅｓ）には、報知部１１６は、スピーカ１９に「ピピッ」という確認音を出力させるとともに、図５に示すように「投薬認証ＯＫ」等のメッセージ７１を表示器１２１に表示させる（ステップＳ１０）。
【００５１】
一方、患者ＩＤまたは看護師情報ＩＤの少なくとも一方が一致しない場合（ステップＳ９：Ｎｏ）には、報知部１１６は、スピーカ１９に「ピピピピピピ…」等の警告音を出力させるとともに、図６に示すように「投薬認証エラー」等のエラーメッセージ７２を表示器１２１に表示させる（ステップＳ１１）。
【００５２】
以上では本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５３】
例えば、上述では、第１読取部１１１、第２読取部１１２、第３読取部１１３がコードシンボル６１、６２、６３（図１参照）から情報を読み取る例について説明したが、各読取部が読み取り対象とする情報記憶媒体はコードシンボルに限定されるものではない。その他の例として、各読取部は、ＩＣタグや磁気カード等の情報記憶媒体から各種情報を読み取る形態としてもよい。
【００５４】
なお、本実施形態のハンディターミナル１０で実行されるプログラムは、ＲＯＭ等に予め組み込まれて提供される。本実施形態のハンディターミナル１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５５】
さらに、本実施形態のハンディターミナル１０で実行されるプログラムを、インターネット等のネットワークに接続されたコンピュータ上に格納し、ネットワーク経由でダウンロードさせることにより提供するように構成しても良い。また、本実施形態のハンディターミナル１０で実行されるプログラムをインターネット等のネットワーク経由で提供または配布するように構成しても良い。
【００５６】
以上説明したとおり、本実施形態によれば、薬剤に付された記憶媒体から読み取られた患者識別情報と患者が有する記憶媒体から読み取られた患者識別情報とが一致し、且つ、薬剤に付された記憶媒体から読み取られた医療従事者識別情報と医療従事者が有する記憶媒体から読み取られた医療従事者識別情報とが一致した場合には、薬剤とその薬剤の投薬対象の患者と投薬担当の医療従事者との組合わせが適正である旨を報知する。従って、他のサーバへの問合せを行わずとも上記判定を行うことができるため、病院内の電波状態に影響されずに薬剤投与時の薬剤、患者、医療従事者の適否確認を行うことができる医療支援装置およびプログラムを提供することができる。
【符号の説明】
【００５７】
１…医療支援システム、２…看護支援サーバ、２１…看護計画ＤＢ、３…電子カルテサーバ、３１…電子カルテＤＢ、１０…ハンディターミナル、１４…表示部、１５…入力部、１６…記憶部、１８…スキャナ、１９…スピーカ、１０２…左ユニット、１０２ａ…筐体、１０３…右ユニット、１０３ａ…筐体、１０４…ヒンジ、１１１…第１読取部、１１２…第２読取部、１１３…第３読取部、１１４…表示制御部、１１５…投薬認証部、１１６…報知部、１２１…表示器、１２２…タッチパネル、１２３…キーシート、１２３ａ…テンキー、１２３ｄ…送信キー、１２３ｂ…矢印キー、１３１…キーボード、１３２…メニューキー、１３２ａ…投薬キー、１３２ｅ…エンターキー、１４１…マイク、５１…ラベル、５２…リストバンド、５３…ＩＤカード、６１、６２、６３…コードシンボル、７０…投薬モード画面、７１…メッセージ、７２…エラーメッセージ、４…ラベルプリンタ、４４…表示部、４５…入力部、４６…プリンタ、４１１…薬剤情報取得部、４１２…患者情報取得部、４１３…看護師情報取得部、４１４…印刷制御部。
【先行技術文献】
【特許文献】
【００５８】
【特許文献１】特開２００５−６２９９４号公報
【図１】
0005422677.tif 000002
【図２】
0005422677.tif 000003
【図３】
0005422677.tif 000004
【図４】
0005422677.tif 000005
【図５】
0005422677.tif 000006
【図６】
0005422677.tif 000007
【図７】
0005422677.tif 000008